(57)【要約】【課題】  本発明は、陰極線管用偏向コイルとして機能することを目的とする多重巻線コイルに関する。【解決手段】該多重巻線コイルは、巻線の上及び／又は間で、コイルの境界を定められた領域に置かれた、高分子材料又は高分子化合物の混合体から作られた要素（EL1、EL2、EL3、EL4）を設けられている。本発明により“リンギング”現象を低減することが可能である。【選択図】  図５ｂ
2006073517.tif 000002
【特許請求の範囲】
【請求項１】
陰極線管用偏向コイルとして動作するための多重巻線コイルであって、
巻線の上及び／又は間で、コイルの境界を定められた領域に置かれた、高分子材料又は高分子化合物の混合体から作られた要素（EL1、EL2、EL3、EL4）を有することを特徴とする多重巻線コイル。
【請求項２】
該要素（EL1、EL2、EL3、EL4）は、該境界を定められた領域で該コイルの少なくとも一つの面に置かれることを特徴とする、請求項１記載のコイル。
【請求項３】
前記領域は、前記コイルの様々な巻線の共通部分（CO）に置かれることを特徴とする、請求項１記載のコイル。
【請求項４】
前記要素は、前記コイルの該共通部分（CO）の一つの面に置かれ、該面は、陰極線管と接触するように設計された面と反対にあることを特徴とする、請求項３記載のコイル。
【請求項５】
前記要素の材料は、前記境界を定められた領域で前記コイルの全ての、若しくは一部の巻線、又は巻線群の表面を覆うことを特徴とする、請求項１記載のコイル。
【請求項６】
前記要素の材料は、イオン型のフィラーを有する高分子材料であることを特徴とする、請求項１乃至５のうちいずれか一項記載のコイル。
【請求項７】
前記要素の材料は、導電性高分子材料のフィラーを有する絶縁性高分子マトリクスを構成することを特徴とする、請求項１乃至５のうちいずれか一項記載のコイル。
【請求項８】
前記要素の材料は、以下の化学式
【化１】
2006073517.tif 000019
のポリ酢酸ビニル、
又は、以下の化学式
【化２】
2006073517.tif 000020
のポリ(Vac-co-クロトン酸)の絶縁性高分子マトリクスから成り、
該導電性材料のフィラーは、以下の化学式
【化３】
2006073517.tif 000021
のポリアニリン塩、
又は、以下の化学式
【化４】
2006073517.tif 000022
のポリピリロールの高分子化合物であることを特徴とする、請求項６記載のコイル。
【請求項９】
前記要素の材料は、以下の化学式
【化５】
2006073517.tif 000023
のポリ（アンモニウム）、
又は、以下の化学式
【化６】
2006073517.tif 000024
のポリ（スチレンスルホン酸アンモニウム）、
又は、以下の化学式
【化７】
2006073517.tif 000025
のポリ（スチレンスルホン酸塩）、
又は、以下の化学式
【化８】
2006073517.tif 000026
の鹸化アクリルアミドの高分子化合物であることを特徴とする、請求項１乃至５のうちいずれか一項記載のコイル。
【請求項１０】
前記要素の材料は、イオン分極の緩和又は空間電荷分極の緩和のどちらかによる誘電性高分子化合物群の高分子化合物であることを特徴とする、請求項１乃至５のうちいずれか一項記載のコイル。
【請求項１１】
前記要素の材料は、1から6MHzの範囲にある周波数範囲で電磁共振現象を吸収することが可能であり、使用周波数は100から300kHzの範囲であることを特徴とする、請求項１記載のコイル。
【発明の詳細な説明】
【技術分野】
【０００１】
本発明は、多重巻線コイル、及び特に陰極線管用の偏向コイルで発生する電磁共振現象の吸収用装置に関する。本発明は、特に受像管に適用される。
【背景技術】
【０００２】
電磁振動現象は、テレビ受像機、及び特に高周波の回線走査（32kHz、48kHz）を用いるシステムにおいて起こりうる。
【０００３】
これら電磁振動現象は、テレビ画面に“ある種の”影響の出現をもたらす。即ち、光源レベル（輝度）は、図１で示されているように、画面の左端に異常な変化を与える。
【０００４】
この“ある種の影響”は、均一な画像が画面のこの領域に表示される時に、特に見える。それは、それが一様な範囲の表示の間に引き起こす輝度の変化によって、容易に特徴付けられうる。
【０００５】
この現象は、文献中で用語“リンギング”に基づいて言及される。
【０００６】
リンギング現象の物理的な原因は、擬似磁界が偏向板の磁気偏向領域の上に置かれ、そのようにして走査速度を変更するという事実に存在する。結果として、画面のリンは、画面の輝度で生じている変化を一様に走査されない。この擬似領域の特有の周波数は、1から6MHzの間である。
【０００７】
この現象を引き起こす擬似磁界は、幾つかの原因を有しうる。
【０００８】
D．W．ハーバーツによって著された文献“CRT偏向ヨークでのリンギング測定（原題；Measuring  ringing  in  CRT  deflection  Yokes）”（1999年発行SIDダイジェスト収録、898ページ掲載）、及び、D．W．ハーバーツによって著された文献“CRT偏向ヨークでの共通モード・リンギングの抑制（原題；Suppression  of  Common-Mode  Ringing  in  CRT  deflection  Yokes）”（2000年発行SIDダイジェスト収録、492ページ掲載）は、二種類のリンギングを引き起こす二つの主な原因が存在しうることを説明している。
【０００９】
差動モード・リンギングは、振動から生じ、筺体とラインコイル（又はフレームコイル）との間で電流循環を引き起こす。従って、それは、ライン走査回路とラインコイルとの間の結合から生じる。擬似振動電流は、ラインコイルを循環し、結果として、ラインコイルの端子で電圧の変化を引き起こす。
【００１０】
共通モード・リンギングは、夫々のラインコイルとフレームコイルとそれらの電源供給回路との間の静電結合によって電流循環を引き起こす振動から生じる。この電流は、夫々のコイルの電位を数MHzで振動させるが、前の電流とは異なり、端子、即ちフレームコイル又はラインコイルの端子で現れるべき電位差を引き起こさない。
【００１１】
様々な手段がこれら振動を鈍らせる技術において存在し、後述の文書で記述されている。
【００１２】
差動モード・リンギングの制動は、例えば、ライン又はフレームのコイルの二つの先端の間にRC回路を導入することによって実行される。
【００１３】
共通モード・リンギングの問題を解決するために、様々な解決法が以下のように提供されている。
【００１４】
・コイルの中間点とその先端の一つとの間に導入されたRC回路による制動。
【００１５】
・チョーク自己インダクタンスによる共通モード電流の制動。
【００１６】
・特定の線（リンギングのない線）の使用による干渉領域の制動。
【００１７】
しかし、リンギングの第三の原因は、解決法が存在しないことが認められてきた。これは、ラインコイルの“内部リンギング”である。
【００１８】
このリンギングは、夫々のラインコイルの内部振動によって特徴付けられる。高周波電流（数MHz）は、コイルの特定の巻線のインダクタンスとこれら同じ巻線に結合する擬似容量との間で振動する。この振動は、以下の主な特徴を有する。
【００１９】
・引き起こされた電流は、コイルの端子に現れるべき電位差を生じない。
【００２０】
・この電流は、偏向板でのフレームコイルの存在に依存しない。
【００２１】
・この電流は、単一のラインコイルにすら存在する。
【００２２】
・この電流の周波数は、ライン走査回路とは無関係である。
【００２３】
夫々の巻線又は巻線群は、それ自体の誘導コイル及び抵抗を有する。これら四つの誘導コイルの総和は、ラインコイルの総インダクタンスを表わし、四つの抵抗の総和は、ラインコイルの総抵抗を表わす。
【００２４】
図２は、これら誘導コイルL2、L3、L4、L8及びこれら四つの抵抗R10、R13、R14、R15を有するこのようなラインコイルに関する回路図を示す。
【００２５】
容量C5、C6、C7、C9は、巻線に並列に示されており、これら異なる巻線群の間に存在しうる擬似容量を表わす。
【００２６】
このような回路は現れるべき振動周波数を生じるが、これは吸収されない。制動を得るために、付加的な損失要素が導入されなければならない。結果として、抵抗R3、R2、R17、R21が、擬似容量C5からC9に並列に設けられた。
【００２７】
ラインコイルを表わすこの回路が、電圧の平衡の戻りが点Y2であると考えられる電圧レベルに応じる場合、図３で示されるような平衡曲線が得られる。容量C5からC9及び抵抗R3からR21の電圧が変化する場合、異なる曲線が、減じられた振動速度、即ち、擬似容量の値によって調整されうる周波数を表わすように得られる。この振動周波数は、一般的に1から6MHz（例えば3.5MHz）の範囲であり、画面上に見られる周波数に対応する。
【００２８】
制動は、夫々の巻き数に依存する。
【００２９】
ラインコイル内部の固有振動数の存在は、このようにして明らかにされ、外部の励磁の後で、如何なる電源供給回路からも独立に振動しうる。
【００３０】
この固有振動数は、ビームの走査速度を乱す磁界を導く巻線の特定の集合において数MHzの電流を発生する。
【００３１】
“内部リンギング”ラインは、このようにして外部の励起（ライン走査の衝撃を戻す）によって起こされる振動でありえ、特定の巻線のインダクタンスとそれらの間に存在する擬似容量との間で生じる。その時、この振動は完全にコイルに内在する（その端子での電圧は安定している）。
【非特許文献１】“CRT偏向ヨークでの共通モード・リンギングの抑制（原題；Suppression  of  Common-Mode  Ringing  in  CRT  deflection  Yokes）”  D．W．ハーバーツ著、2000年発行SIDダイジェスト収録、492ページ掲載。
【非特許文献２】“ヨーク制動用RCスナバの計算（原題；Caiculating  RC  snubber  for  Yoke  damping）”J．ハーマン著、ヒュージズ、JVC研究論文。
【非特許文献３】“CRT偏向コイルのエネルギー損失及びリンギング（Dissipation  and  ringing  of  CRT  deflection  coils）”  D．W．ハーバーツ著、ISBN。
【発明の開示】
【発明が解決しようとする課題】
【００３２】
従って、本発明の目的は、これら内部振動を制動する解決法を提供することである。
【課題を解決するための手段】
【００３３】
従って、本発明は、陰極線管用偏向コイルとして機能することを目的とする多重巻線コイルに関する。このコイルは、巻線の上及び／又は間で、コイルの境界を定められた領域に置かれた、高分子材料又は高分子化合物の混合体から作られた要素を有する。
【００３４】
有利に、該素子は、該境界を定められた領域でコイルの少なくとも一つの面に置かれる。
【００３５】
この領域は、前記コイルの様々な巻線の共通部分に置かれても良い。
【００３６】
前記要素は、コイルの該共通部分の面に置かれる。この面は、陰極線管と接触するようにされた面と反対にある。
【００３７】
あるいは、前記要素の材料は、前記境界を定められた領域でコイルの全ての、若しくは一部の巻線、又は巻線群の表面を覆いうる。
【００３８】
本発明の一つの実施例によれば、前記要素の材料は、イオン型のフィラーを与える高分子材料である。
【００３９】
本発明の他の実施例によれば、前記要素の材料は、導電性高分子材料のフィラーを有する絶縁性高分子マトリクスによって構成されても良い。該導電性高分子材料のフィラーの大きさは、吸収されるべき振動の周波数に応じる。
【００４０】
次に、前記要素の材料は、例えば、以下の化学式
【００４１】
【化９】
2006073517.tif 000003
を有するポリ酢酸ビニル（PVAc）、
又は、以下の化学式
【００４２】
【化１０】
2006073517.tif 000004
を有するポリビニル酢酸型（ベータメチルアクリル酸）のポリ(Vac-co-クロトン酸)化合物のような絶縁性高分子マトリクスから構成されても良い。
【００４３】
該導電性材料のフィラーは、以下の化学式
【００４４】
【化１１】
2006073517.tif 000005
を有するポリアニリン塩、
又は、以下の化学式
【００４５】
【化１２】
2006073517.tif 000006
のポリピリロールのような高分子化合物であっても良い。
【００４６】
本発明の異なる実施例によれば、前記要素の材料は、以下の化学式
【００４７】
【化１３】
2006073517.tif 000007
のポリ（アンモニウム）、
又は、以下の化学式
【００４８】
【化１４】
2006073517.tif 000008
のポリ（スチレンスルホン酸アンモニウム）、
又は、以下の化学式
【００４９】
【化１５】
2006073517.tif 000009
のポリ（スチレンスルホン酸塩）、
又は、以下の化学式
【００５０】
【化１６】
2006073517.tif 000010
の鹸化アクリルアミドのような高分子化合物である。
【００５１】
吸収されるべき振動の周波数範囲を考慮すると、前記要素の材料は、イオン分極の緩和又は空間電荷分極の緩和のどちらかによる誘電性高分子化合物群の高分子化合物であっても良い。
【００５２】
一般的に、前記要素の材料は、可能であれば、以下の特性を有する。
【００５３】
・吸収されるべき周波数の範囲での高い誘電損失。
【００５４】
・コイルの使用周波数範囲内での低い誘電損失。
【００５５】
・コイルの線の外部塗布の良好なぬれ性。
【００５６】
・コイルの線の構成成分の化学的な互換性。
【００５７】
・線が置かれている全ての環境条件の互換性。
【００５８】
有利に、吸収されるべき周波数は、1から6MHzの範囲内であり、使用周波数は100から300kHzの範囲内である。
【００５９】
本発明の様々な目的及び特性が、後述及び添付の図で更に明白に記述される。
【発明を実施するための最良の形態】
【００６０】
図４及び５を参照することにより、本発明の実施例が説明される。
【００６１】
図４は、陰極線管でライン偏向コイルとして用いられうるコイルの一例を表わす。
【００６２】
図４で示されているコイルBは、共通領域COを通る幾つかの巻線（又は巻線群）を有する。これは図４で示されていないが、夫々のコイルが特定の巻き数によって構成されることは明白である。即ち、図４は、様々な巻線の配線の一般的な実例を提供する。
【００６３】
本発明によれば、以下の特性で表わされる材料は、少なくとも一つの巻線の少なくとも一つの指定、選択された領域上で（又は、その中で）挿入される。
【００６４】
・吸収されるべき共振周波数範囲（本発明では1から6MHz）での高い誘電損失。
【００６５】
・コイルの動作周波数範囲（ラインの折り返し信号の最大周波数150kHz）での低い誘電損失。
【００６６】
・巻線の外部塗布の良好なぬれ性。
【００６７】
・巻線の構成成分の化学的な互換性。
【００６８】
・線が置かれている全ての環境条件の互換性。
【００６９】
挿入された材料の良好なぬれ性及び流動性は、材料が巻線に効果的に付着し、更に材料が挿入時に線の間に容易に挿入され、このようにして可能な限り電源の近くにある外乱領域を吸収するために、誘発した擬似容量の間に適合しうることを確実にするために望ましい。
【００７０】
巻線及び保護のための塗布に関する化学的な互換性は、それらの絶縁特性を保つために不可欠である。
【００７１】
環境条件の互換性に関して、挿入された材料は、基本的に使用温度で安定でなければならない。一般的に、陰極線管の場合、材料は約150度の温度まで安定でなければならないと考えられている。
【００７２】
前記要素は、高分子材料又は高分子材料の集合から作られるように設計されうる。
【００７３】
吸収されるべき振動の周波数範囲を考慮すると、前記要素は、イオン分極の緩和又は空間電化分極の緩和どちらかによって誘電損失を与えるように設計されうる。
【００７４】
イオン分極による誘電損失の場合、前記要素はイオン型のフィラーを有する高分子材料であることが更に与えられうる。
【００７５】
更に具体的に述べると、例えば、以下の化学式
【００７６】
【化１７】
2006073517.tif 000011
のポリ（アンモニウム）と、
以下の化学式
【００７７】
【化１８】
2006073517.tif 000012
を有するポリ（スチレンスルホン酸アンモニウム）と、
以下の化学式
【００７８】
【化１９】
2006073517.tif 000013
を有するポリ（スチレンスルホン酸塩）と、
以下の化学式
【００７９】
【化２０】
2006073517.tif 000014
を有する鹸化アクリルアミドを選ぶことが可能である。
【００８０】
上述の高分子化合物の一つを選ぶことも可能である。その陽イオンの大きさは、制動されるべき振動の周波数に更に適応する周波数を得るために変えられる。
【００８１】
誘電損失が空間電荷分極の緩和（又はマクスウェル・ワーグナー緩和）によって求められる周波数で得られる場合、前記要素が導電材料からの異物（フィラー）を有する絶縁性高分子マトリクスによって構成されることが、更に提供される。これら同一の導電性の異物は、それ自体、無機物のフィラー（カーボンブラック、カルボニル鉄）又は絶縁性高分子マトリクスに分散された高分子材料のどちらかであっても良い。
【００８２】
更に具体的に述べると、例えば、以下の化学式
【００８３】
【化２１】
2006073517.tif 000015
のポリ酢酸ビニル（PVAc）と、
以下の化学式
【００８４】
【化２２】
2006073517.tif 000016
のポリ(Vac-co-クロトン酸)化合物は、絶縁性マトリクスに対して選択されうる。
【００８５】
例えば、以下の化学式
【００８６】
【化２３】
2006073517.tif 000017
のポリアニリン塩と、
以下の化学式
【００８７】
【化２４】
2006073517.tif 000018
のポリピリロールのような導電性高分子化合物は、導電材料に対して選択されうる。
【００８８】
導電材料のフィラーの大きさは、供給されるべき振動の周波数に適応する。
【００８９】
このような要素が実現される巻線の領域は、例えば、巻線の共通部分COにおいて、図５ａの要素EL1のように置かれても良い。前記要素は、例えば、陰極線管に付けられるべき共通部分の面と反対にある共通部分COの面で実現される。図５ｂの実施例によれば、要素EL2は、巻線の共通部分COのほぼ面全体を覆う。
【００９０】
図５ｃの実施例によれば、要素EL3は、共通部分COの幾つかの面を覆うか、あるいは該共通部分の全ての面を覆う。
【００９１】
他の実施例によれば、要素EL4は、b4のような特定の指定の領域に実現される（図５ｄ参照）。この場合、要素は、図５ｃと同様に、巻線b4の幾つかの面を覆う。
【００９２】
図示されていない他の変形によれば、振動現象を吸収する巻線に挿入された前記要素の材料は、異なる巻線間に入るように設計されうる。特に、それは線の間に浸透しうる。
【００９３】
上記の様々な実施例において、吸収されるべき共振周波数範囲での強い誘電損失を有する材料から作られた要素は、擬似容量が巻線の特定の巻線の間に存在する領域に置かれる。これら要素は、これら擬似容量と並列な制動抵抗RAの導入をもたらす。回路図が図６で示されるように得られる。
【００９４】
擬似容量を示す領域の捜索は、以下の方法で行われうる。
【００９５】
電界を測定するために使用される電磁プローブは、コイル内、望ましくはコイルのZ−Z’軸に従って置かれる（図４参照）。長方形（又は正方形）の信号の発生器は、コイルの端子に接続される。次に、波の端子での電圧が測定される（図７参照）。このようにして、オシロスコープで表示される一時的な信号は、図８の上の曲線に対応する。図８の下の曲線は、上の曲線のフーリエ変換を表わす。これら曲線において、コイルの共振周波数の特性を示すピークを検出することが可能である。次に、共振信号によって表わされる振動を吸収しやすい材料は、コイルの様々な領域に連続して置かれる。この材料が、擬似容量が、振動に関与するコイルの線の間に存在する、コイルの領域に置かれる時、共振ピークはオシロスコープから消え、上述のような要素（EL1からEL4）はこの領域に挿入されなければならないことがわかる。
【００９６】
従って、本発明は、誘電損失によって外乱振動のエネルギーを吸収する塗布を実施することによって、コイルでの内部振動現象の吸収を可能にする。従って、本発明は、例えば、コイルとその電源供給との間、あるいは他の例で、単一のコイルの特定の巻線の間で付加的な電気部品（RC回路等）を使用しない。
【００９７】
・従って本発明は、
・偏向板での如何なる付加的な構成要素（制動回路）、
・コイルの中間点での如何なる付加的な出力（特定の制動回路の実施で必要とされる）、
・コイルの形状の如何なる変更、及び、これによる偏向板の電子工学性能の保存、
・巻線の如何なる変更、及び、これによる線を実現する手段又は巻線を製造する手段の如何なる変更、
を必要としない。
【００９８】
従って、本発明は、コイルのリンギングの問題に対する経済的な解決法を提供する。更に、厄介な周波数の制動が、有効な周波数を乱すことなく、特に陰極線管の場合に、折り返し線周波数を乱すことなく得られる。
【図面の簡単な説明】
【００９９】
【図１】本発明が修正すべき欠点を有する画面を表わす図である。
【図２】本発明が適用される多重巻線コイルを表わす等価回路である。
【図３】図２のような回路の内部振動現象を明らかにする曲線を示す図である。
【図４】本発明が適用される多重巻線コイルの一例を示す図である。
【図５ａ】本発明による装置の異なる実施例を示す図である。
【図５ｂ】本発明による装置の異なる実施例を示す図である。
【図５ｃ】本発明による装置の異なる実施例を示す図である。
【図５ｄ】本発明による装置の異なる実施例を示す図である。
【図６】本発明の原理を表わすコイルの等価回路である。
【図７】多重巻線コイルの内部振動の測定に使用される実験装置の一例を示す図である。
【図８】図７で表わされた実験装置を用いて得られる検出曲線を示す図である。
【符号の説明】
【０１００】
L2、L3、L4、L8  誘導コイル
C1、C2、C4、C5、C6、C7、C9  擬似容量
R1、R2、R3、R10、R13、R14、R15、R17、R21  抵抗
V1  電源
Y2  電圧の平衡の戻り
B  コイル
CO  共通領域
b1、b2、b3、b4  巻線
EL1、EL2、EL3、EL4  要素
RA  制動抵抗
Z、Z’  軸
【図１】
2006073517.tif 000027
【図２】
2006073517.tif 000028
【図３】
2006073517.tif 000029
【図４】
2006073517.tif 000030
【図５ａ】
2006073517.tif 000031
【図５ｂ】
2006073517.tif 000032
【図５ｃ】
2006073517.tif 000033
【図５ｄ】
2006073517.tif 000034
【図６】
2006073517.tif 000035
【図７】
2006073517.tif 000036
【図８】
2006073517.tif 000037